(57)【要約】【課題】  回路規模やコストの増加させることなく、容易にＳＩＦ信号のモードを判別でき、判別精度や調整精度の高い音声中間周波数モード判別回路を提供する。【解決手段】  音声中間周波数モード判別回路は、異なる信号変換方式のテレビジョン信号から少なくともＳＩＦ信号を取り出して出力する周波数取出し手段２０と、周波数取出し手段２０から取り出されたＳＩＦ信号の周波数をカウントする周波数カウンタ手段２１と、受信された前記テレビジョン信号の信号変換方式を特定するために周波数カウンタ手段２１によりカウントされたＳＩＦ信号の周波数を判別すると共に、このＳＩＦ信号が入力されるフィルタ部２３のフィルタ特性を判別過程および判別結果に基づいて操作する判別操作手段２２と、を少なくとも備える。【選択図】  図１
2005136832.tif 000002
【特許請求の範囲】
【請求項１】
異なる信号変換方式のテレビジョン信号から少なくとも音声中間周波数信号を取り出して出力する周波数取出し手段と、
前記周波数取出し手段から取り出された前記音声中間周波数信号の周波数をカウントする周波数カウンタ手段と、
受信された前記テレビジョン信号の信号変換方式を特定するために前記周波数カウンタ手段によりカウントされた前記音声中間周波数信号の周波数を判別すると共に、前記音声中間周波数信号が入力されるフィルタ部のフィルタ特性を判別過程および判別結果に基づいて操作する判別操作手段と、
を少なくとも備えることを特徴とする音声中間周波数モード判別回路。
【請求項２】
前記周波数取出し手段は、異なる信号変換方式のテレビジョン信号に含まれるＳＩＦ信号を入力してこのＳＩＦ信号を検波して音声信号とＳＩＦキャリア信号を取り出して出力するＳＩＦ検波部よりなり、
前記周波数カウンタ手段は、前記ＳＩＦ検波部から取り出された前記ＳＩＦキャリア信号の周波数をカウントする周波数カウンタ部よりなり、
前記判別操作手段は、前記周波数カウンタ部によりカウントされた前記ＳＩＦキャリア周波数信号の周波数に基づいて受信された前記テレビジョン信号の信号変換方式を判別して前記ＳＩＦ信号が入力されるフィルタ部のフィルタ定数を操作する演算部よりなることを特徴とする請求項１に記載の音声中間周波数モード判別回路。
【請求項３】
前記演算部は、複数の基準信号と複数の信号変換方式とを有するテレビジョン受像機を含む信号変換システムに設けられて、少なくとも２つ以上の基準信号を切換えて前記周波数カウンタ部のカウントした前記周波数を判別して判別データを生成し、この判別データにより前記信号変換方式における各種の調整やモード判別を含む複数の機能を実行することを特徴とする請求項２に記載の音声中間周波数モード判別回路。
【請求項４】
音声中間周波数キャリア信号を取り出す前記周波数取出し手段としての音声中間周波数取出し手段と、映像中間周波数キャリア信号またはそれに比例した周波数信号を取り出す映像中間周波数取出し手段と、少なくとも前記音声中間周波数キャリア信号と前記映像中間周波数キャリア信号の２つの信号を切換えて出力する信号切換え手段と、前記信号切換え手段より出力された信号の周波数を判別する前記周波数カウンタ手段と、前記周波数カウンタ手段のカウントしたデータに基づいて判断し調整やモード設定を行なう前記判別操作手段と、を備えると共に、
前記判別操作手段は検出した映像中間周波数のずれを演算して所定の周波数に保持する自動調整機能と、前記音声中間周波数から周波数モードを判別する機能とを備えることを特徴とする請求項１に記載の音声中間周波数モード判別回路。
【請求項５】
前記映像中間周波数キャリア信号と前記音声中間周波数キャリア信号の少なくとも一方の周波数信号は、電圧制御発振器の周波数をＰＬＬにより引込むことにより引き出され、前記電圧制御発振器におけるフリーラン周波数のずれを前記周波数カウンタ手段により検出して所定の周波数に調整する自動調整機能を備えた請求項４に記載の音声中間周波数モード判別回路。
【請求項６】
前記判別操作手段によりモード判別時に前記フィルタ部、前記音声周波数取出し手段の特性を切換えながら前記周波数カウンタ手段で周波数を判別し、前記判別操作手段によりモードを判別することを特徴とする請求項４に記載の音声中間周波数モード判別回路。
【発明の詳細な説明】
【技術分野】
【０００１】
本発明は、音声中間周波数モード判別回路に係り、特に、複数の異なる信号方式に対応可能なマルチテレビジョン受像機における音声中間周波数のモードを判別するために用いられる音声中間周波数モード判別回路に関する。
【背景技術】
【０００２】
一般に、テレビジョン受像システムにおいては、国や地域により種々の信号変換方式を用いている。このため、適用される信号変換方式ごとに使用する周波数が異なっている。したがって、異なる周波数に対して対応可能なマルチテレビジョン受像機においては、これら異なる周波数に対して検波器やフィルタの条件を切換えてやる必要がある。
【０００３】
音声中間周波数信号（ＳＩＦ―Speech Intermediate Frequency―）については、信号方式の違いにより用いられる周波数は、４．５ＭＨｚ，５．５ＭＨｚ，６．０ＭＨｚ，６．５ＭＨｚの４種類の周波数があり、この判別は、キャリア周波数で行なうしかない。しかしながら、ＳＩＦ信号の周波数の差は、８％程度しかない。また、色搬送波信号（３．５８ＭＨｚ，４．４３ＭＨｚ）や副音声中間周波数（５．７４ＭＨｚ）等の信号が近接した周波数帯に存在し、これらの周波数の信号が妨害信号となるために、ＳＩＦ信号の周波数モードを自動的に判別することは非常に難しいことになっている。近年これらの信号処理回路はコストと生産性の問題により集積化された回路により提供されるのが一般的であるが、集積化により素子の絶対バラツキが増えるために検波器の周波数精度は著しく劣化してしまい、周波数モードの判別をより困難にしている。
【０００４】
従来、一般的なテレビジョン受像機においてはＳＩＦ信号の周波数モードを自動的に判別する機能は無く最初に放送を受信した時に利用者が音声を確認しながらモードを設定しており利便性を低下させている。
【０００５】
一部のテレビジョン受像機においては、ＦＭ（Frequency Modulation―周波数変調―）音声検波回路と同様の周波数検波回路を用いて、４．５ＭＨｚの周波数モードとそれ以外の周波数モードとを判別する回路が提案されている。従来のＳＩＦモード判別回路について、図５を参照しながら説明する。図５において、ＳＩＦ信号はまず、４．５ＭＨｚ，５．５ＭＨｚ，６．０ＭＨｚ，６．５ＭＨｚの４つの音声中間周波数（ＳＩＦ）帯域通過フィルタ（ＢＰＦ―Band-Pass Filter―）３，４，５，６により抽出される。４．５ＭＢＰＦ６を通った信号のみは、４．５Ｍ判別回路７に入力され、ＳＩＦ検波器に用いられているようなＦＭ検波回路により周波数判別が行なわれる。ここで、入力されている信号が４．５ＭＨｚかそれ以外かを判別して後段の切換えスイッチ９とＳＩＦ検波回路１０の検波特性を切換えている。
【０００６】
５．５ＭＨｚ、６．０ＭＨｚ、６．５ＭＨｚの３モードの信号は、６．０Ｍコンバータ８において全て６．０ＭＨｚの信号に変換される。変換された６．０ＭＨｚ信号は切換えスイッチ９で先の判別結果により４．５ＭＨｚ信号と切換えられＳＩＦ検波回路１０に入力され音声信号に復調される。
【特許文献１】特開平０９−０５１４８８号公報
【特許文献２】特開平１０−１０８０９８号公報
【特許文献３】特開平０５−０９１４４３号公報
【発明の開示】
【発明が解決しようとする課題】
【０００７】
しかしながら、上記従来のＳＩＦモード判別回路は、４．５ＭＨｚ信号で周波数判別を行なっているが近くに３．５８ＭＨｚ、４．４３ＭＨｚの色搬送波信号があるため誤動作を起こしやすい。また、残りの３つのモードの判別ができないため６．０ＭＨｚに変換して検波を行なっているが、変換を行なうことや使っていない帯域の信号ノイズが入ることにより性能が劣化する。さらに、検波回路とは別に上記の判別回路、周波数変換回路が必要となり、大幅にコストが増大するという不具合がある。
【０００８】
テレビジョン放送では周波数帯域を有効に利用するため残留側波帯方式が用いられておりそのまま検波すると低域が強調される。レベルの揃った信号を得る為に特定の選択特性を有する入力フィルタを通して検波を行なっている。ここで映像中間周波数信号（ＰＩＦ―Picture Intermediate Frequency―）周波数がずれると特性がずれてレベルの揃った信号が得られなくなるため自動周波数調整（ＡＦＴ―Automatic Frequency Tuning―）システムが用いられている。入力されたＰＩＦ周波数のずれを検出しチューナに帰還をかけて周波数を一定に保つシステムであるが、近年ＰＩＦ信号の周波数のずれを検出して補正する手段として周波数カウンタが用いられマイコンによりチューナを制御、帰還するようになっている。この周波数カウンタは、基準クロックに基づいて無調整で精度の高い周波数判別を行なうことができ、初期データや判別ロジックによりさまざまな周波数に対応することができる。
【０００９】
本発明は、音声周波数信号の周波数を周波数カウンタによりカウントし、カウントした周波数をマイコンにより操作判別して音声周波数信号モードの判別を行なうことにより、精度が高く誤判別を防止可能とし、音声周波数信号の４モード全ての判別を可能とすることを目的とし、さらに、周波数カウンタ，マイコンを前記ＡＦＴシステムに用いているものと共用することにより、回路規模やコストの増加を伴うことなく容易に音声周波数信号のモードを判別できる音声中間周波数モード判別回路を提供することを目的とする。
【課題を解決するための手段】
【００１０】
上記課題を解決するため、本発明の基本構成に係る音声中間周波数モード判別回路は、異なる信号変換方式のテレビジョン信号から少なくとも音声中間周波数信号を取り出して出力する周波数取出し手段と、前記周波数取出し手段から取り出された前記音声中間周波数信号の周波数をカウントする周波数カウンタ手段と、受信された前記テレビジョン信号の信号変換方式を特定するために前記周波数カウンタ手段によりカウントされた前記音声中間周波数信号の周波数を判別すると共に、前記音声中間周波数信号が入力されるフィルタ部のフィルタ特性を判別過程および判別結果に基づいて操作する判別操作手段と、を少なくとも備えることを特徴とする。
【発明の効果】
【００１１】
本発明は、前記周波数カウンタ手段からの信号を取り出して、判別操作手段を介して判別および操作を行なうことによりモード判別や調整など複数の機能に対応することができるものである。音声中間周波数モードの判別では周波数カウンタ手段により周波数差を直接判別するため精度が高く複数のモードに対応した判別が可能となる。しかも、映像周波数信号モードの判別に周波数カウンタと判別操作手段としてのマイクロコンピュータを用いている現状回路と組み合わせる場合には、現状の回路に簡単な切換え手段とモード設定機能とを付加するだけで実現することができるので、回路規模やコストの増加がほとんどないという利点がある。
【発明を実施するための最良の形態】
【００１２】
以下、添付図面を参照しながら本発明に係る音声中間周波数モード判別回路の実施形態について詳細に説明する。  
【第１実施形態】
【００１３】
まず、本発明の基本構成を示す第１実施形態に係る音声中間周波数モード判別回路について図１を用いて説明する。図１において、第１実施形態に係る音声中間周波数モード判別回路は、異なる信号変換方式のテレビジョン信号から少なくとも音声中間周波数信号を取り出して出力する周波数取出し手段２０と、周波数取出し手段２０から取り出された音声中間周波数信号の周波数をカウントする周波数カウンタ手段２１と、受信されたテレビジョン信号の信号変換方式を特定するために周波数カウンタ手段２１によりカウントされた音声中間周波数信号の周波数を判別すると共に、音声中間周波数信号が入力されるフィルタ部２３のフィルタ特性を判別過程および判別結果に基づいて操作する判別操作手段２２とを少なくとも備えている。
【００１４】
このように構成された第１実施形態に係る音声中間周波数モード判別回路においては、何れかの信号変換方式によるテレビジョン信号に含まれる音声中間周波数信号が例えば音声中間周波数（ＳＩＦ）検波器などより構成される周波数取出し手段２０により音声中間周波数のみが取り出されて周波数カウンタ手段２１に供給され、周波数カウンタ手段２１により音声中間周波数がカウントされてそのカウント値が判別操作手段２２に供給されている。例えばマイクロコンピュータなどよりなる判別操作手段２２は前記周波数取り出し手段２０の周波数範囲が十分広い場合、前記フィルタ手段２３をスルーまたは全てのモード周波数が通過できる広帯域な特性に操作する。もしも周波数範囲が狭い場合、または妨害信号による誤動作が起こるような場合には、判別したい周波数に応じて周波数取出し手段２０とフィルタ手段２３の特性を連動させて切換え操作する。最終的にフィルタ手段２３は判別操作手段２２の判別結果に基づき入力された音声中間周波数モードに合った特性に操作される。
【００１５】
以上のようにして、従来、自動的に設定することが難しかった音声中間周波数信号についても自動的に周波数モードの設定を行なうことができる。周波数カウンタ手段２１および判別操作手段（マイクロコンピュータ）２２については、独自の構成を別途に設けても良いし、映像中間周波数信号処理用に設けられている既存の構成を用いるようにしても良い。既存の構成を用いる場合には、ＳＩＦキャリア信号とＰＩＦキャリア信号の２つの信号を切換えて出力する信号切換え手段ないしはスイッチを設ける必要がある。音声中間周波数のモードはチャンネル毎に決まるため、その設定はテレビジョン受像機セットを最初にその信号変換方式のテレビジョンシステムで用いる場合にチャンネルに合わせ初期設定するために用いるだけであり、常に動作させる必要は無い。そのため、共用が可能で専用の周波数カウンタ手段２１および判別操作手段２２を設けるよりも映像中間周波数信号に対して用いている構成を共用する方が、より一層のコストの低下を期待できる。
【第２実施形態】
【００１６】
次に、図２を参照しながら、より具体的な構成としての第２実施形態に係る音声中間周波数モード判別回路について説明する。図２に示すように、第２実施形態に係る音声中間周波数モード判別回路は、図１における周波数取出し手段が、異なる信号変換方式のテレビジョン信号に含まれるＳＩＦ信号を入力してこのＳＩＦ信号を検波して音声信号とＳＩＦキャリア信号を取り出して出力するＳＩＦ検波部２０よりなり、図１の周波数カウンタ手段が、ＳＩＦ検波部２０から取り出されたＳＩＦキャリア信号の周波数をカウントする周波数カウンタ部２１よりなり、図１の判別操作手段が、周波数カウンタ部２１によりカウントされたＳＩＦキャリア周波数信号の周波数に基づいて受信されたテレビジョン信号の信号変換方式を判別してＳＩＦ信号が入力されるフィルタ部としての帯域通過フィルタ（ＢＰＦ―Band-Pass Filter―）２３のフィルタ定数を操作する演算部２２より構成されている。
【００１７】
上述した図２の構成において、ＳＩＦ検波部２０は検波回路の中に不要成分を取り除くためのリミッタやＰＬＬループによる入力周波数に引き込んだ電圧制御発信機（Ｖｃｏ）を持っているため、その信号を取出すことにより周波数取出し手段となる。周波数カウンタ部２１は、複数の基準信号と複数の信号変換方式とを有するテレビジョン受像機を含む信号変換システムに設けられて少なくとも２つ以上の基準信号を切換えて判別して判別データを出力すると共に、演算部２２は、周波数カウンタ部２１の出力した判別データにより信号変換方式における各種の調整やモード判別を含む複数の機能を有するように構成されている。
【００１８】
また、図２に示すように、第２実施形態に係る音声中間周波数モード判別回路においては、演算部２２はマイクロコンピュータにより構成されており、周波数カウンタ部２１と演算部２２とは、共にデジタルブロック２４として構成されている。また、演算部２２のマイクロコンピュータはチューナ１を制御してＰＩＦ検波部２に入力されるＰＩＦ周波数のずれを補正するＡＦＴ操作部と共用しても構わない。
【第３実施形態】
【００１９】
なお、上述した第１および第２実施形態に係る音声中間周波数モード判別回路は、何れも音声中間周波数の判別および操作に専用の周波数カウンタ手段（部）２１と判別操作手段（演算部）２２とを備えているものとして説明したが、本発明はこのような構成に限定されず、映像中間周波数（ＰＩＦ）の周波数ずれを防ぐための自動周波数調整（ＡＦＴ）におけるＰＩＦ周波数カウンタ手段および判別操作手段を音声中間周波数用に兼用するようにしても良い。この周波数カウンタ手段および判別操作手段を兼用させるためには、映像中間周波数（ＰＩＦ）検波部と音声中間周波数（ＳＩＦ）検波部のそれぞれの検波したＰＩＦ信号とＳＩＦ信号とを切り換える切換え手段を設けるようにすれば良い。このような切換え手段を設ける主要な構成としての第３実施形態に係るモード判別回路と、より詳細な構成としての第４実施形態に係るモード判別回路について、以下に説明する。
【００２０】
第３実施形態に係る音声中間周波数モード判別回路の主要構成は、図３に示すように、音声中間周波数（ＳＩＦ）キャリア信号を取り出す周波数取出し手段としての音声中間周波数（ＳＩＦ）取出し手段（検波回路）２０と、映像中間周波数（ＰＩＦ）キャリア信号またはそれに比例した周波数信号を取り出す映像中間周波数（ＰＩＦ）取出し手段（検波回路）２と、少なくともＳＩＦキャリア信号とＰＩＦキャリア信号の２つの信号を切換えて出力する信号切換え手段２５と、信号切換え手段２５より出力された信号の周波数を判別する周波数カウンタ（手段）２１と、周波数カウンタ２１によりカウントしたデータに基づいて判断し調整やモード設定を行なう前記判別操作手段としてのマイクロコンピュータ２２と、を備えている。この構成と共に、判別操作手段としてのマイクロコンピュータ２２は検出した映像中間周波数（ＰＩＦ）のずれを演算して所定の周波数に保持する自動調整機能と、音声中間周波数（ＳＩＦ）から周波数モードを判別する機能とを備えるように構成されている。
【００２１】
図２に示された主要な構成のブロック図に基づいて、信号切換え手段を用いる本発明の第３実施形態に係る音声中間周波数モード判別回路の動作を説明する。図３において、ＰＩＦ検波回路２から抽出されたＰＩＦキャリア周波数信号とＳＩＦ検波回路２０から抽出されたＳＩＦキャリア周波数信号は、切換えスイッチ２５により切換えられて周波数カウンタ２１において選択された信号の周波数を判別する。マイクロコンピュータ２２は、切換えスイッチ２５により信号を選択して周波数カウンタ２１の周波数の判別に基づいて周波数の調整やモードの切換えなどの操作を行なう。ＡＦＴ回路による周波数検出の場合は、ＰＩＦキャリア周波数信号を選択してチューナ１を制御してＰＩＦ周波数のずれを調整する。ＳＩＦモード判別の場合は、ＳＩＦキャリア周波数信号を選択してデータからモードを判別して、ＳＩＦ用バンドパスフィルタ（ＢＰＦ―Band Pass Filter―）２３やＳＩＦ検波回路２０の設定をモードに合わせ切換える。
【００２２】
この第３実施形態に係る回路は、最近主流になりつつあるカウンタによる周波数判別を行なうＡＦＴ検出回路を有するＰＩＦ検波回路２において、カウンタ２１の入力を切換える切換スイッチ（ＳＷ）２５を有し、ＰＩＦ入力とＳＩＦ入力を切換えることにより周波数を検出して、モード判別を行なうものである。このカウンタ２１の条件設定や周波数判別をマイコン２２により行ない入力フィルタや判別条件を切換えることによりクロマ信号による誤動作がなくなり、多数のモードに対応したＳＩＦモードを判別することができるようになる。スイッチ２５の切換えを増やすことにより多数の周波数判別も可能である。また、カウンタ２１やマイコン２２はＡＦＴと共用することができるため、回路規模はほとんど増えず機能を追加できる。
【第４実施形態】
【００２３】
上述した第３実施形態に係る音声中間周波数モード判別回路は、切換え手段２５を備えてＰＩＦ信号とＳＩＦ信号との周波数カウンタ２１およびマイクロコンピュータ２２を共用する基本的な構成を有していたが、本発明はこれに限定されず、より具体的な構成としての図４に示す第４実施形態に係る音声中間周波数モード判別回路のように構成しても良い。図４は、本発明のより具体的な実施例としての第４実施形態に係る周波数判別回路のブロック図を示している。
【００２４】
図４において、高周波ブロック３０を構成するチューナ１によりＰＩＦ信号に変換されたテレビジョン信号は、ＰＩＦ検波回路２に供給される。ＰＩＦ検波回路２は、入力されたＰＩＦ信号を増幅するＰＩＦアンプ３１と、ＰＩＦアンプ３１により増幅された信号の位相を自動的に制御して検波するＡＰＣ（Automatic Phase Control）検波回路３２と、ＡＰＣ検波回路３２で位相検波され出力電圧を発振制御してＰＩＦ用ＶＣＯ信号を出力するＰＩＦ用ＶＣＯ（Voltage Control Oscillator）３３と、このＰＩＦ用ＶＣＯ３３の出力とＰＩＦアンプ３１により増幅されたＰＩＦ信号とから映像信号を復調する映像復調回路３４と、ＰＩＦ用ＶＣＯ３３の出力を分周する分周器３５より構成されている。ＰＩＦ用ＶＣＯ３３の出力をＡＰＣ検波回路３２に帰還することによりＰＬＬループを組み、ＰＩＦ用ＶＣＯ信号はＰＩＦキャリア周波数に引込まれている。
【００２５】
映像復調回路３４では、ＡＰＣ検波回路３２でＶＣＯ信号を位相シフトして入力と同相に合わせたＰＩＦ用ＶＣＯ３３からの信号と、前記ＰＩＦアンプ３１で増幅された信号とを掛け合わせることによりＡＭ検波された映像信号が復調される。復調された映像信号には、ＳＩＦ信号が重畳されているため、ＳＩＦ用ＢＰＦ２３により抜き出してＳＩＦ検波回路２０に供給される。ＳＩＦ検波回路２０は、ＢＰＦ２３により取り出されたＳＩＦ信号を増幅するリミットアンプ２６と、増幅されたＳＩＦ信号とその電圧制御出力とから音声信号を復調する音声復調回路２７と、音声復調回路２７の出力電圧を発振制御するＳＩＦ用ＶＣＯ２８とを備えている。
【００２６】
音声復調回路２７に入力された信号はＳＩＦ用ＶＣＯ２８の出力信号と位相検波され、出力電圧をＳＩＦ用ＶＣＯ２８により帰還することによりＰＬＬ（Phase Locked Loop）ループを組み、ＳＩＦ用ＶＣＯ信号はＳＩＦキャリア周波数に引込まれる。位相検波された出力電圧は、入力周波数に比例した電圧が出るためＦＭ検波器となり音声信号を復調することができる。ＰＩＦ用ＶＣＯ３３の信号はＰＬＬで入力キャリアの周波数に引込まれているためＰＩＦキャリア周波数信号であり、同様にＳＩＦ用ＶＣＯ２８の信号はＳＩＦキャリア周波数信号となる。ＰＩＦキャリア周波数信号は通常周波数が高すぎるため、分周器３５により分周して周波数を下げた後、切換えスイッチ２５に入力される。
【００２７】
切換えスイッチ２５により選択された信号は、デジタルブロック２４を構成する周波数カウンタ２１により周波数を判別される。周波数カウンタで判別された周波数は、マイクロコンピュータ２２により判別されて、操作することにより種々の調整や入力されたテレビジョン信号に含まれる音声または映像周波数信号のモード判別を行なう。
【００２８】
ＡＦＴの周波数検出の場合は、ＰＩＦキャリア周波数信号を選択して、チューナ１を制御して、ＰＩＦアンプ３１に入力されるＰＩＦ周波数のずれを調整する。ＳＩＦモード判別の場合は、ＳＩＦキャリア周波数信号を選択してデータからモードを判別して、ＳＩＦ用ＢＰＦ２３の特性や、ＳＩＦ用ＶＣＯ２８の中心周波数の設定をモードに合わせて切り換えている。
【００２９】
カウンタによる周波数判別精度は高いため、モード判別を行なうときには、単にＳＩＦ用ＢＰＦの特性をスルーまたは全てのモード周波数が通過できるような広い帯域に設定しても、ある程度の確度での判別は可能である。しかし、色搬送波信号（３．５８ＭＨｚ，４．４３ＭＨｚ）があるため画面状態により色搬送波信号が大きく誤判別する可能性がある。これを防ぐため、１回目で４．５ＭＨｚの信号かそれ以外の信号かを判定し、それ以外の信号であれば５．５ＭＨｚ未満の信号を落とすようにフィルタ特性を設定し、５．５ＭＨｚ以上の３モードを判別することにより誤動作を防ぐことができる。通常、マルチ方式のテレビジョン受像機では色信号の自動判別機能は備えている。ＳＩＦ周波数が４．５ＭＨｚであるのは色搬送波信号が３．５８ＭＨｚのときだけなので、色信号の判別に基づいてＳＩＦモードを判別することも可能である。
【００３０】
このようなＰＬＬを用いた検波回路では、ＰＩＦ信号用およびＳＩＦ信号用のそれぞれのＶＣＯ３３および２８は、通常フリーラン周波数の調整が必要であるが、周波数カウンタ２１により周波数ずれを検出して調整することにより、これらに調整に関して自動化が可能となる。また、色復調や同期回路においても、色搬送波信号（３．５８ＭＨｚ，４．４３Ｍｈｚ）や、水平同期信号周波数（１５．７３４ｋＨｚ，１６．２４ｋＨｚ）の信号の切換えや調整についても、切換えスイッチ２５を追加することにより共用することも可能となる。
【００３１】
通常は、チューナ１を含む高周波ブロック３０と、ＰＩＦ検波回路２、ＳＩＦ検波回路２０のアナログブロックと、マイクロコンピュータ２２のデジタルブロック２４とは、要求される特性の違いや妨害を防ぐため、図４の一点鎖線で囲むように、別々のチップに集積化されている。切換えスイッチ２５はアナログブロック４０側に集積化し、周波数カウンタ２１は、デジタルブロック２４側に集積化することにより、双方の入出力信号端子（図示せず）が１つで済むため端子の増加を防いで、より一層の小型化と多機能なシステムを構成することが可能となる。
【００３２】
図４に示す第４実施形態の構成より、映像中間周波数キャリア信号と音声中間周波数キャリア信号の少なくとも一方の周波数信号は、ＶＣＯ（電圧制御発振器）３３，２８の周波数をＰＬＬにより引込むことにより引き出され、ＶＣＯ３３，２８におけるフリーラン周波数のずれを周波数カウンタ２１により検出して所定の周波数に調整する自動調整機能を備えている。また、この第４実施形態に係る音声中間周波数モード判別回路は、映像中間周波数信号と音声中間周波数信号を扱うアナログブロック４０と、判別操作手段としてのマイクロコンピュータ２２が含まれるデジタルブロック２４とを別々に集積化して構成すると共に、切換えスイッチ（信号切換え手段）２５はアナログブロック４０側に集積化され、周波数カウンタ２１はデジタルブロック２４側に集積化されている。さらに、第４実施形態に係る音声中間周波数モード判別回路において、判別操作手段としてのマイクロコンピュータ２２の出力は、テレビジョン信号を入力するチューナ１に供給されて映像中間周波数を増幅する映像中間周波数取出し手段としてのＰＩＦ検波回路２における種々の基準信号を設定している。さらに、第４実施形態に係る音声中間周波数モード判別回路において、判別操作手段は、周波数カウンタ２１と共にデジタルブロック２４として構成されたマイクロコンピュータ２２より構成されている。
【００３３】
以上、説明したように、この第４実施形態に係る音声中間周波数モード判別回路によっても、モード判別や自動調整等の複数の機能を回路規模を増やさずに実現できる。従来のＡＦＴ回路から回路規模をほとんど増やさなくとも、従来は精度不足に起因して、モードの判別や調整がし難くかった複数のＳＩＦモード判別機能やＰＬＬ検波回路のＶＣＯ調整機能などを簡単に実現することができる。
【図面の簡単な説明】
【００３４】
【図１】本発明の基本構成としての第１実施形態に係る音声中間周波数モード判別回路の構成を示すブロック図である。
【図２】本発明の第２実施形態に係る音声中間周波数モード判別回路の構成を示すブロック図である。
【図３】映像中間周波数信号との切換え手段を有する本発明の第３実施形態に係る音声中間周波数モード判別回路の主要な構成を示すブロック図である。
【図４】図３のより具体的な構成としての第４実施形態に係る音声中間周波数モード判別回路の構成を示すブロック図である。
【図５】従来の音声中間周波数モード判別回路の具体的な構成を示すブロック図である。
【符号の説明】
【００３５】
２  ＰＩＦ検波回路
２０  周波数取出し手段（ＳＩＦ検波回路）
２１  周波数カウンタ手段
２２  判別操作手段（演算部・マイクロコンピュータ）
２３  フィルタ手段（ＳＩＦ用ＢＰＦ）
２４  デジタルブロック
２５  切換え手段（切換えスイッチ）
３０  高周波ブロック
４０  アナログブロック
【図１】
2005136832.tif 000003
【図２】
2005136832.tif 000004
【図３】
2005136832.tif 000005
【図４】
2005136832.tif 000006
【図５】
2005136832.tif 000007